(57)【特許請求の範囲】
【請求項１】
巻体（Ｒ）を保持する回転リール（１）を回転自在として、外包囲体（２）の内方に設置したものとし、前記外包囲体（２）を、適宜間隔をおいて支柱（７）を複数本、立設したものとし、これら支柱（７）間から前記巻体（Ｒ）を引き出せるようにしており、前記支柱（７）には、前記回転リール（１）の回転体（３）の周端部の少なくとも上方を覆うようにした突起（１２）を設けたものとし、前記突起（１２）によって、前記回転リール（１）の回転体（３）の周囲と前記外包囲体（２）の支柱（７）との隙間（Ｓ）を塞ぐようにした引出装置であって、前記突起（１２）を周溝（１１）を有する短筒体とし、この短筒体の周溝（１１）に前記回転リール（１）の回転体（３）の周端部を遊嵌合するようにし、さらに前記短筒体とした突起（１２）を頭部（１６）と胴部（１７）を有したものとし、前記頭部（１６）の上面を外下がりの傾斜面（α）にしたことを特徴とする引出装置。
【発明の詳細な説明】
【技術分野】
【０００１】
この発明は、電線やケーブルなどの巻体を保持し、その巻体を使用時に引き出せるようにした引出装置に関するものである。
【背景技術】
【０００２】
従来、この種の引出装置としては、例えば、図３１、３２に示したようなものが存在する。図示した引出装置は、電線やケーブルなどの巻体Ｒを保持する回転リール２１を、垂直支軸２２の回りに回転自在として、外包囲体２３の内方に設置したものとしている（非特許文献１）。
【０００３】
前記回転リール２１は、円板状の回転体２４の中央部に、前記垂直支軸２２に軸支される支持筒２５が設けられ、この支持筒２５の周囲には電線やケーブルなどの巻体Ｒの中心空洞部Ｏが保持される保持枠２６が設けられている。さらに、前記支持筒２５には、その側部からねじ込んで、前記垂直支軸２２に押し付けられて回転リール２１の回転速度を加減するようにしたブレーキ部材２７が取り付けられている。
【０００４】
前記外包囲体２３は、前記回転リール２１の回転体２４の周囲に設置されており、適宜間隔をおいて四本、立設した支柱２８のそれぞれ隣り合う二本どうしの上端間を連結体２９で連結し、これら対向する連結体２９のそれぞれに外出し枠３０を設けたものとしている。さらに、前記連結体２９の一方に、回転リール２１に保持された巻体Ｒの中心空洞部Ｏと略同一径の蓋体３１を中央部に取り付け、その両端部に中出し枠３２を形成した枠体３３の一端を軸支し、この枠体３３の他端を前記連結体２９の他方に着脱自在にすることにより、この枠体３３で前記巻体Ｒの上方を開閉できるようにしている。なお、前記回転リール２１の回転体２４の周囲と外包囲体２３のそれぞれの支柱２８との間には、回転体２４が支柱２８に接触してその回転が阻止されないように、隙間Ｓを有したものとしている。
【先行技術文献】
【特許文献】
【０００５】
【非特許文献１】ジェフコム株式会社発行の「２０１０〜２０１１ジェフコム総合カタログｖｏｌ．１９」の第６２ページ。
【発明の概要】
【発明が解決しようとする課題】
【０００６】
しかしながら、上記従来の引出装置では、電線やケーブルなどの巻体Ｒの使用時に、図３２の矢印Ａに示すように、前記巻体Ｒを外出しする（外出し枠３０から引き出す）場合には、その引き出そうとする巻体Ｒが、弛んだりして、回転リール２１の回転体２４の周囲と外包囲体２３の支柱２８との隙間Ｓに挟まってしまったり、この隙間Ｓから回転体２４の下方に脱落し、からまったりすることがある。すると、回転リール２１が回転しなくなり、巻体Ｒの引き出し操作ができなくなるという問題点を有していた。
【０００７】
そこで、この発明は、上記従来の問題点を解決することをその課題としており、引き出そうとする巻体が、回転リールの回転体の周囲と外包囲体の支柱との隙間に挟まってしまったり、この隙間から回転体の下方に脱落し、からまったりすることがないようにして、回転リールが回転しなくなることがなく、巻体の引き出し操作ができなくなることのない引出装置を提供することを目的としてなされたものである。
【課題を解決するための手段】
【０００８】
この発明の引出装置は、巻体Ｒを保持する回転リール１を回転自在として、外包囲体２の内方に設置したものとし、前記外包囲体２を、適宜間隔をおいて支柱７を複数本、立設したものとし、これら支柱７間から前記巻体Ｒを引き出せるようにしており、前記支柱７には、前記回転リール１の回転体３の周端部の少なくとも上方を覆うようにした突起１２を設けたものとし、前記突起１２によって、前記回転リール１の回転体３の周囲と前記外包囲体２の支柱７との隙間Ｓを塞ぐようにしたものであって、前記突起１２を周溝１１を有する短筒体とし、この短筒体の周溝１１に前記回転リール１の回転体３の周端部を遊嵌合するようにし、さらに前記短筒体とした突起１２を頭部１６と胴部１７を有したものとし、前記頭部１６の上面を外下がりの傾斜面αにしている。
【発明の効果】
【００１３】
この発明の引出装置は、以上に述べたように構成されているので、引き出そうとする巻体が、弛んだりしても、回転リールの回転体の周囲と外包囲体の支柱との隙間に挟まってしまったり、この隙間から回転体の下方に脱落し、からまったりすることがなくなり、回転リールが回転しなくなることがなく、巻体の引き出し操作ができなくなることのないものとなる。
【図面の簡単な説明】
【００１４】
【図１】この発明の引出装置を斜め上方から見た状態の斜視図である。
【図２】この発明の引出装置を図１とは方向を変えて斜め上方から見た状態の斜視図である。
【図３】この発明の引出装置に保持される巻体を斜め上方から見た状態の斜視図である。
【図４】この発明の引出装置を斜め下方から見た状態の斜視図である。
【図５】この発明の引出装置の平面図である。
【図６】この発明の引出装置の底面図である。
【図７】この発明の引出装置の側面図である。
【図８】この発明の引出装置の突起を正面上方から見た状態の斜視図である。
【図９】この発明の引出装置の突起を正面下方から見た状態の斜視図である。
【図１０】この発明の引出装置の突起の分解斜視図である。
【図１１】この発明の引出装置の他の実施形態を斜め上方から見た状態の斜視図である。
【図１２】図１１に示すこの発明の引出装置を斜め下方から見た状態の斜視図である。
【図１３】図１１に示すこの発明の引出装置の平面図である。
【図１４】図１１に示すこの発明の引出装置の部分拡大斜視図である。
【図１５】この発明の引出装置のさらに他の実施形態を斜め上方から見た状態の斜視図である。
【図１６】図１５に示すこの発明の引出装置を斜め下方から見た状態の斜視図である。
【図１７】図１５に示すこの発明の引出装置の平面図である。
【図１８】図１５に示すこの発明の引出装置の部分拡大斜視図である。
【図１９】この発明の引出装置のさらに他の実施形態を斜め上方から見た状態の斜視図である。
【図２０】図１９に示すこの発明の引出装置を斜め下方から見た状態の斜視図である。
【図２１】図１９に示すこの発明の引出装置の平面図である。
【図２２】図１９に示すこの発明の引出装置の部分拡大斜視図である。
【図２３】この発明の引出装置のさらに他の実施形態を斜め上方から見た状態の斜視図である。
【図２４】図２３に示すこの発明の引出装置を斜め下方から見た状態の斜視図である。
【図２５】図２３に示すこの発明の引出装置の平面図である。
【図２６】図２３に示すこの発明の引出装置の部分拡大斜視図である。
【図２７】この発明の引出装置のさらに他の実施形態を斜め上方から見た状態の斜視図である。
【図２８】図２７に示すこの発明の引出装置を斜め下方から見た状態の斜視図である。
【図２９】図２７に示すこの発明の引出装置の平面図である。
【図３０】図２７に示すこの発明の引出装置の部分拡大斜視図である。
【図３１】従来の引出装置の巻体を保持する前の状態を示す説明図である。
【図３２】従来の引出装置の使用状態を示す説明図である。
【発明を実施するための形態】
【００１５】
以下、この発明の引出装置を実施するための一形態を、図面に基づいて詳細に説明する。
【００１６】
図１〜７に示したように、この発明の引出装置は、電線やケーブルなどの巻体Ｒを保持する回転リール１を回転自在として、外包囲体２の内方に設置したものとしている。なお、前記回転リール１は、図示したものでは、垂直支軸（図示せず）の回りに回転自在としているが、この回転リール１を回転自在とするには、このような構造に限定されることはない。
【００１７】
前記回転リール１は、円板状や皿状等とした回転体３の中央部に、前記垂直支軸に軸支される支持筒４が設けられ、この支持筒４の周囲には電線やケーブルなどの巻体Ｒの中心空洞部Ｏが保持される保持枠５が設けられている。さらに、前記支持筒４には、その側部からねじ込んで、前記垂直支軸に押し付けられて、回転リール１の回転速度を加減するようにしたブレーキ部材６が取り付けられている。
【００１８】
前記外包囲体２は、前記回転リール１の回転体３の周囲に設置されており、適宜間隔をおいて支柱７を四本、立設したものとし、これら支柱７間から前記巻体Ｒを引き出せるようにしている。図示したものは、前記支柱７のそれぞれ隣り合う二本どうしの上端間を連結体８で連結したものとし、これら支柱７間の連結体８とで囲まれる部分から前記巻体Ｒを引き出せるようにしている。より詳細には、前記支柱７間の連結体８とで囲まれる部分において、対向する連結体８のそれぞれに外出し枠９を設けたものとし、この外出し枠９から前記巻体Ｒを引き出せるようにしている。
【００１９】
そして、前記回転リール１の回転体３の周囲と外包囲体２のそれぞれの支柱７との間には、隙間Ｓを有したものとしている。なお、前記支柱７は、四本にする場合には、図示したように、十字状に交差させた支持体１０のそれぞれの両端部に立設したものとしているが、円形枠状に形成した支持体（図示せず）の周囲にそれぞれ立設したものとしてもよい。また、前記支柱７は、四本以外にも、三本、五本、六本、八本などにすることができ、この場合にも円形枠状に形成した支持体の周囲にそれぞれの本数を立設したものとすることができる。
【００２０】
前記支柱７には、前記回転リール１の回転体３の周端部の少なくとも上方または下方を覆うようにした突起１２を設けたものとしている。そして、この突起１２によって、前記回転リール１の回転体３の周囲と前記外包囲体２の支柱７との隙間Ｓを塞ぐようにしている。
【００２１】
前記連結体８の一方には、回転リール１に保持された巻体Ｒの中心空洞部Ｏと略同一径の蓋体１３を中央部に取り付け、その両端部に中出し枠１４を形成した枠体１５の一端を軸支し、この枠体１５の他端を前記対向する連結体８の他方に着脱自在にすることにより、この枠体１５で前記巻体Ｒの上方を開閉できるようにしている。
【００２２】
前記突起１２は、周溝１１を有する短筒体とし、この短筒体の周溝１１に前記回転リール１の回転体３の周端部を遊嵌合するようにし、その回転体３の周端部の上方および下方を覆うようにしている。
【００２３】
そして、前記突起１２は、図８〜１０に示したように、頭部１６と胴部１７を有したものとし、軸方向に二分割できるようにした分割体１２ａ、１２ｂからなるものとしている。さらに、前記頭部１６の上面を外下がりの傾斜面αにしており、この頭部１６の下周端部に前記回転リール１の回転体３の周端部に遊嵌合する周溝１１を設けたものとしている。また、前記分割体１２ａ、１２ｂのそれぞれの両側部には連結部１８を設け、これら連結部１８には、凹凸嵌合部１９ａ、１９ｂと止着孔２０を設けたものとし、前記分割体１２ａ、１２ｂの連結部１８どうしを向かい合わせ、凹凸嵌合部１９ａ、１９どうしを嵌め合わせ、止着孔２０をネジ・ボルト類などで止めたり、前記連結部１８どうしを接着剤で止めたりすることにより、分割体１２ａ、１２ｂを一体化して、前記突起１２を上下動可能として、または上下動しないようにして支柱７に装着できるものとしている。このようにすることにより、前記突起１２は、前記支柱に非常に装着し易いものとなる。さらに、前記頭部１６の内部は、肉抜きをすると共にリブ１６ａを形成したものとし、軽量化すると共に強度が低下しないものとしている。なお、前記突起１２は、分割体１２ａ、１２ｂからなるものとはせず、一体としたものとしてもよいのは言うまでもない。
【００２４】
さらに、前記突起１２は、図１１〜１４に示したような略円形状のフランジＦとしたり、図１５〜１８に示したような略半円形状のフランジＦとし、このフランジＦを前記回転リール１の回転体３の周端部の上方に位置するようにし、その回転体３の周端部の上方を覆うようにしてもよい。
【００２５】
また、前記突起１２は、図１９〜２２に示したような略円形状のフランジＦを下端に有する短小の円筒体としたり、図２３〜２６に示したような略半円形状のフランジＦを下端に有する短小の半円筒体とし、このフランジＦを前記回転リール１の回転体３の周端部の上方に位置するようにし、その回転体３の周端部の上方を覆うようにしてもよい。
【００２６】
さらにまた、前記突起１２は、図２７〜３１に示したような略円形状のフランジＦを上端に有する短小の円筒体とし、このフランジＦを前記回転リール１の回転体３の周端部の下方に位置するようにし、その回転体３の周端部の下方を覆うようにしてもよい。
【００２７】
なお、前記突起１２は、図示した実施形態に限定されることなく、前記回転リール１の回転体３の周端部の少なくとも上方または下方を覆うようにしたものであれば、どのような形態であってもよい。
【００２８】
以上のように構成したこの発明の引出装置では、電線やケーブルなどの巻体Ｒの使用時に、その巻体Ｒを外出しする（外出し枠９から引き出す）場合には、その引き出そうとする巻体Ｒが弛んだりしても、その巻体Ｒは、前記突起１２の頭部１６やフランジＦに乗り上げられた状態で引き出されるので、回転リール１の回転体３の周囲と外包囲体２の支柱７との隙間Ｓに挟まってしまったり、この隙間Ｓから回転体３の下方に脱落し、からまったりすることがない。したがって、回転リール１が回転しなくなることがなく、巻体Ｒの引き出し操作ができなくなるということもなくなる。
【００２９】
なお、前記突起１２を図８〜１０に示したようなものにすれば、電線やケーブルなどの巻体Ｒは、その突起１２の頭部１６の傾斜面αに乗り上げられた状態で引き出した後、その引き出し操作を止めると、前記頭部１６の傾斜面αを滑って回転リール１側に戻されるので、次に引き出す場合には巻体Ｒの引き出し操作がより行い易いものとなる。
【００３０】
さらに、図８〜１０に示したような突起１２にして、上下動可能として支柱７に装着したものにすれば、前記回転リール１の回転が振れて周端部が上下動した場合にも、この回転リール１の周端部の上下動に伴って突起１２も上下動するので、回転リール１の回転体３の周囲と前記外包囲体２の支柱７との隙間Ｓは、前記突起１２によって常に塞がれた状態となっている。
【００３１】
また、図８〜１０に示したような突起１２にして、上下動しないように支柱７に装着したものにすれば、その突起１２の周溝１１に前記回転リール１の回転体３の周端部が遊嵌合した状態で、この回転リール１が回転することになり、回転体３の周端部が前記突起１２の周溝１１に支えられた状態となるので、前記回転リール１の回転は振れることなく、スムーズなものとなる。
【符号の説明】
【００３２】
１  回転リール
２  外包囲体
３  回転体
７  支柱
８  連結体
１１  周溝
１２  突起
１２ａ、１２ｂ  分割体
１６  頭部
１７  胴部
１８  連結部
１９ａ、１９ｂ  凹凸嵌合部
２０  止着孔
Ｒ  巻体
Ｓ  隙間
α  傾斜面
【図１】
0005652619.tif 000002
【図２】
0005652619.tif 000003
【図３】
0005652619.tif 000004
【図４】
0005652619.tif 000005
【図５】
0005652619.tif 000006
【図６】
0005652619.tif 000007
【図７】
0005652619.tif 000008
【図８】
0005652619.tif 000009
【図９】
0005652619.tif 000010
【図１０】
0005652619.tif 000011
【図１１】
0005652619.tif 000012
【図１２】
0005652619.tif 000013
【図１３】
0005652619.tif 000014
【図１４】
0005652619.tif 000015
【図１５】
0005652619.tif 000016
【図１６】
0005652619.tif 000017
【図１７】
0005652619.tif 000018
【図１８】
0005652619.tif 000019
【図１９】
0005652619.tif 000020
【図２０】
0005652619.tif 000021
【図２１】
0005652619.tif 000022
【図２２】
0005652619.tif 000023
【図２３】
0005652619.tif 000024
【図２４】
0005652619.tif 000025
【図２５】
0005652619.tif 000026
【図２６】
0005652619.tif 000027
【図２７】
0005652619.tif 000028
【図２８】
0005652619.tif 000029
【図２９】
0005652619.tif 000030
【図３０】
0005652619.tif 000031
【図３１】
0005652619.tif 000032
【図３２】
0005652619.tif 000033